(57)【要約】      （修正有）【課題】不要時には小さく分解して収納・携行でき、且つ展示会の狭いスペースで素早く組み立てて卓上に設置でき、ＰＯＰ類を簡便に掲示するコンパクト収納式卓上ＰＯＰスタンドを提供する。【解決手段】支柱１は、その下端に支柱雄ネジ１０が形成されていると共に、その上端には横向きの支柱雌ネジ１２が複数形成され、ベース体２は、中央部にベース体雌ネジ２０が形成され、支柱雄ネジ１０が螺合自在である。吊下げ棒３の基端には吊下げ棒雄ネジ３０が形成され、支柱雌ネジ１２に螺合自在である。支柱１、ベース体２、吊下げ棒３の３つの部材の組立て時には、卓上で所望高さの支柱の高い位置の吊下げ棒に、ポスター類が掲示自在で、収納時には３つの部材が分解されコンパクトに収納自在である。【選択図】図７
0003200625.tif 000002
【実用新案登録請求の範囲】
【請求項１】
外管と内管が重合して伸縮するテレスコピック機構によって所望の高さに組立て自在な支柱と、前記支柱を下部で支持するベース体と、前記支柱の上部で水平方向に接続自在な吊下げ棒の３つの部材で成るコンパクトサイズの卓上ＰＯＰスタンドであって、
前記支柱は、その下端が雄ネジの支柱雄ネジに形成されていると共に、その上端には横向き雌ネジの支柱雌ネジが複数形成されていること、
前記ベース体は、その中央部が雌ネジのベース体雌ネジに形成され、そのベース体雌ネジに前記支柱雄ネジが螺合自在であること、
前記吊下げ棒は、その基端が雄ネジの吊下げ棒雄ネジに形成され、その吊下げ棒雄ネジが前記支柱雌ネジに螺合自在であること、
前記支柱、ベース体、吊下げ棒の３つの部材の組立て時には、卓上で所望高さの支柱の高い位置の吊下げ棒に、ＰＯＰ類の掲示物が掲示自在であり、収納時には、前記３つの部材が分解され、コンパクト収納自在に構成されていることを特徴とするコンパクト収納式卓上ＰＯＰスタンド。
【請求項２】
支柱の上端には円柱状の上端接続体が取り付けられ、その上端接続体に、平面方向視が４５°の等間隔で支柱雌ネジが４ケ所形成されており、最大４本の吊下げ棒の吊下げ棒雄ネジが前記支柱雌ネジに螺合され、前記各吊下げ棒に掲示された掲示物は全方位から見られる構成であることを特徴とする、請求項１に記載したコンパクト収納式卓上ＰＯＰスタンド。
【請求項３】
ベース体は、板状で中央に配置される中央板状体と、その中央板状体の左右の下面でそれぞれ回動自在に接続された左方板状体及び右方板状体とで構成されており、前記中央板状体の中央部にベース体雌ネジが形成されていることを特徴とする、請求項１に記載したコンパクト収納式卓上ＰＯＰスタンド。
【請求項４】
ベース体をなす板状の細長い左方板状体及び右方板状体は、細長い中央板状体よりも短く形成され、組立て時には、左方板状体及び右方板状体の回動によって、ベース体は平面方向視形状がＨ形又はＳ形又はＮ形の安定した形状に形成自在であり、収納時には、左方板状体及び右方板状体が回動され中央板状体に重合してコンパクト収納自在であることを特徴とする、請求項１又は３に記載したコンパクト収納式卓上ＰＯＰスタンド。
【請求項５】
ベース体をなす左方板状体は、左方第１板状体及び左方第２板状体として、右方板状体は、右方第１板状体及び右方第２板状体として、それぞれ更に２本ずつ独立して構成され、中央板状体の左方下面の一端部に前記左方第１板状体が回動自在に接続され、前記左方下面の他端部に前記左方第２板状体が回動自在に接続されていると共に、中央板状体の右方下面の一端部に前記右方第１板状体が回動自在に接続され、前記右方下面の他端部に前記右方第２板状体が回動自在に接続されていることを特徴とする、請求項１又は３又は４に記載したコンパクト収納式卓上ＰＯＰスタンド。
【考案の詳細な説明】
【技術分野】
【０００１】
本考案は、いつでも気軽にペンケース等に入れておいて、各種展示会で自らの展示物を広告宣伝するためにＰＯＰ若しくは小型ポスター類を素早く卓上で掲示する際に、当該ＰＯＰスタンドを簡単に組み立てられ、不使用時にはコンパクト収納して携行するコンパクト収納式卓上ＰＯＰスタンドの技術分野に属するものである。
【背景技術】
【０００２】
各種展示会では人で混雑するため、自らの展示物を広告宣伝するためにＰＯＰ若しくは小型ポスター類を素早く掲示する必要がある。
【０００３】
掲示物を掲示する関連スタンドとして、例えば、実開平４−４８５６６号公報に記載の催事案内スタンドがある。
【０００４】
当該実開平４−４８５６６号公報には、四隅部に高さ調節用のアジャスターが取付けられたベース板と、このベース板に下端部が固定された一対の支柱および該一対の支柱の上部および下部寄りの部位を接続する上部バー部材および下部バー部材とからなるフレームと、このフレームの前面側に固定された透明材あるいは反透明材製の前面表示パネルと、前記フレームの一対の支柱間を覆うことができかつ一方の支柱に回動可能に取付けられた前面および背面に催事案内ポスター等を取付けることのできるインナーパネルと、このインナーパネルを覆うように前記フレームの一方の支柱あるいは前記インナーパネルの一方の端部に回動可能に取付けられた透明材あるいは反透明材製の後面表示パネルと、この後面表示パネルの開放端部を開閉可能に係止する前記フレームに取付けられた係止金具とからなることを特徴とする催事案内スタンドが開示されている（実用新案登録請求の範囲１参照）。
【先行技術文献】
【特許文献】
【０００５】
【特許文献１】実開平４−４８５６６号公開公報
【考案の概要】
【考案が解決しようとする課題】
【０００６】
前記文献１の載置室内スタンドの場合、前面と後面とにポスターを表示でき、該ポスターが脱落したり汚れるのを防止する利点はある。しかし、フレームや前後の表示パネル、インナーパネルといった部品による大掛かりで頑丈な製品である。そのため、かかる製品を持ち運ぶことは到底不可能である。しかも、案内掲示が必要な現場で、簡便に組み立てられるものでもない。
【０００７】
この点、図１２に示した従来の卓上ＰＯＰスタンドは、四角形状（若しくは円形状）のベース部ｇの上に、（上部支柱ｂの）固定用ロックｄ付きの下部支柱ａ（ベースｇとはネジ止め）と、横に広がる吊り下げ部ｃとが接続された上部支柱ｂとを組み合わせた構成のものがある。
【０００８】
従来タイプの当該図１２のＰＯＰスタンドの場合、掲示方法、高さの調整等基本的な機能を有するものの、分解した際、上下支柱ａ、ｂの長さは短いものでも約３０ｃｍもある。しかも、上部支柱ｂの横に出ている吊り下げ部ｃが分解できないため、横に出っ張ったままであり、クリップｅ自体も大きく収納時にとても嵩張ってしまう。また、ベース部ｇについても折り畳む等ができないので嵩張る上、形状の違いから分解した支柱ａ、ｂとまとめづらく、別途収納する必要がある等の問題点が生じている。
【０００９】
したがって、本考案の目的は、既存の卓上ＰＯＰスタンドの掲示機能を損なうことなく、不要時には限りなく小さく分解してコンパクトサイズで収納・携行できて、使い勝手に優れていると共に、吊り下げ棒の追加による多次元的な新しい掲示をも可能にしたコンパクト収納式卓上ＰＯＰスタンドを提供することにある。
【課題を解決するための手段】
【００１０】
上記課題を解決するための手段として、請求項１記載の考案のコンパクト収納式卓上ＰＯＰスタンドは、外管と内管が重合して伸縮するテレスコピック機構によって所望の高さに組立て自在な支柱１と、前記支柱１を下部で支持するベース体２と、前記支柱１の上部で水平方向に接続自在な吊下げ棒３の３つの部材で成るコンパクトサイズの卓上ＰＯＰスタンドであって、
前記支柱１は、その下端が雄ネジの支柱雄ネジ１０に形成されていると共に、その上端には横向き雌ネジの支柱雌ネジ１２が複数形成されていること、
前記ベース体２は、その中央部が雌ネジのベース体雌ネジ２０に形成され、そのベース体雌ネジ２０に前記支柱雄ネジ１０が螺合自在であること、
前記吊下げ棒３は、その基端が雄ネジの吊下げ棒雄ネジ３０に形成され、その吊下げ棒雄ネジ３０が前記支柱雌ネジ１２に螺合自在であること、
前記支柱１、ベース体２、吊下げ棒３の３つの部材の組立て時には、卓上で所望高さの支柱１の高い位置の吊下げ棒３に、ＰＯＰ類の掲示物が掲示自在であり、収納時には、前記３つの部材１、２、３が分解され、コンパクト収納自在に構成されていることを特徴とする。
【００１１】
請求項２記載の考案は、前記支柱１の上端には円柱状の上端接続体１１が取り付けられ、その上端接続体１１に、平面方向視が４５°の等間隔で支柱雌ネジ１２が４ケ所形成されており、最大４本の吊下げ棒３・・・の吊下げ棒雄ネジ３０・・・が前記支柱雌ネジ１２・・・に螺合され、前記各吊下げ棒３に掲示された掲示物は全方位から見られる構成であることを特徴とする。
【００１２】
請求項３記載の考案は、前記ベース体２が、板状で中央に配置される中央板状体２１と、その中央板状体２１の左右の下面２４、２７でそれぞれ回動自在に接続された左方板状体２２及び右方板状体２３とで構成されており、前記中央板状体２１の中央部にベース体雌ネジ２０が形成されていることを特徴とする。
【００１３】
請求項４記載の考案は、前記ベース体２をなす板状の細長い左方板状体２２及び右方板状体２３は、細長い中央板状体２１よりも短く形成され、組立て時には、左方板状体２２及び右方板状体２３の回動によって、ベース体２は平面方向視形状がＨ形又はＳ形又はＮ形の安定した形状に形成自在であり、収納時には、左方板状体２２及び右方板状体２３が回動され中央板状体２１に重合してコンパクト収納自在であることを特徴とする。
【００１４】
請求項５記載の考案は、前記ベース体２´をなす左方板状体２２が、左方第１板状体２２ａ及び左方第２板状体２２ｂとして、右方板状体２３は、右方第１板状体２３ａ及び右方第２板状体２３ｂとして、それぞれ更に２本ずつ独立して構成され、中央板状体２１の左方下面２４の一端部２５に前記左方第１板状体２２ａが回動自在に接続され、前記左方下面２４の他端部２６に前記左方第２板状体２２ｂが回動自在に接続されていると共に、中央板状体２１の右方下面２７の一端部２８に前記右方第１板状体２３ａが回動自在に接続され、前記右方下面２７の他端部２９に前記右方第２板状体２３ｂが回動自在に接続されていることを特徴とする。
【考案の効果】
【００１５】
本考案のコンパクト収納式卓上ＰＯＰスタンドは、支柱に関し、その下端が雄ネジの支柱雄ネジに形成されていると共に、その上端には横向き雌ネジの支柱雌ネジが複数形成され、ベース体は、その中央部が雌ネジのベース体雌ネジに形成され、支柱雄ネジが螺合自在であって、吊下げ棒は、その基端が雄ネジの吊下げ棒雄ネジに形成され、支柱雌ネジに螺合自在であり、前記支柱、ベース体、吊下げ棒の３つの部材の組立て時には、卓上で所望高さの支柱の高い位置の吊下げ棒にＰＯＰ類の掲示物が掲示自在であり、不使用時には、前記３つの部材が分解され、コンパクト収納自在に構成されているので、前記３部材を可及的に小さく分解でして収納・携行でき、使用時には、展示会等で割り当てられた狭いスペースでも簡単に組み立てて、自分の展示物を広告宣伝するためのＰＯＰや小型ポスター類を素早く掲示できる自在性に優れている。
【００１６】
また、請求項２のように、支柱の上端には円柱状の上端接続体が取り付けられ、その上端接続体に平面方向視が４５°の等間隔で支柱雌ネジが４ケ所形成されているから、最大４本の吊下げ棒の吊下げ棒雄ネジを前記支柱雌ネジに螺合する（ネジ込む）だけで、吊下げ棒の取り付けは完了し、前記各吊下げ棒に掲示された掲示物は全方位から見られる多次元的な掲示も実現される。
【００１７】
そして、ベース体は請求項３のように、板状の中央板状体と、その中央板状体の左右の下面でそれぞれ回動自在に接続された左方板状体及び右方板状体とで構成され、中央板状体の中央部にベース体雌ネジが形成されているから、収納時には、左右の板状体を畳んで小さくコンパクト化してペンケース等に簡単に収納でき、持ち運びに大変便利である。また、中央板状体のベース体雌ネジに、前記支柱の支柱雌ネジを現場で簡単に螺合して組み立てられ使い勝手がよい。
【００１８】
ベース体の細長い左方板状体及び右方板状体は、細長い中央板状体よりも短く形成されているので（請求項４）、組立て時には、左方板状体及び右方板状体の簡単な回動により４５°等の所望角度に左右の板状体が展開され、その結果、ベース体はＳ形やＮ形といった安定した形状で、支柱や吊下げ棒（掲示物）を確実に支えられる。また、収納時には、左右の板状体が回動され中央板状体に重合して簡単にコンパクト化できる。
【００１９】
さらに、請求項５のように、ベース体の左方板状体は、左方第１板状体及び左方第２板状体として、右方板状体は、右方第１板状体及び右方第２板状体として、それぞれ更に２本ずつ小さな独立体に構成すれば、コンパクト収納は勿論のこと、ベース体はＨ形の安定形状で、より一層支柱や吊下げ棒（掲示物）を確実に支えられる。
【考案を実施するための最良の形態】
【００２０】
本考案に係るコンパクト収納式卓上ＰＯＰスタンドの好適な実施形態を、図面にしたがって説明する。
【００２１】
図１は、本実施形態のコンパクト収納式卓上ＰＯＰスタンドの組み立てた状態を、平面方向から示している。
【００２２】
この卓上ＰＯＰスタンドは、図１０に示したように、外管と内管が重合して伸縮するテレスコピック機構によって所望の高さに組立て自在な支柱１と、前記支柱１を下部で支持するベース体２と、前記支柱１の上部で水平方向に接続自在な吊下げ棒３の３つの部材のみで構成されている。３つの部材である支柱１、ベース体２、吊下げ棒３の組立て時には、卓上で所望高さの支柱１の高い位置の吊下げ棒３に、図示を省略したＰＯＰや小型ポスター類の掲示物を掲示し、収納時には、３つの部材１、２、３を分解して、コンパクト収納される。
【００２３】
図２に示した当該３つの部材の支柱１、ベース体２、吊下げ棒３について、以下に説明する。
【００２４】
支柱１は、図２Ｂに図示したように、外管と内管が重合して伸縮自在な最大φ＝８ｍｍの鉄製又はステンレス製丸棒で成り、最小長さ（高さ）が約１５ｃｍ、最大長さ（高さ）が約６５ｃｍとなる（図８、図９参照）。
【００２５】
この支柱１の下端は、雄ネジの支柱雄ネジ１０に形成されている（図２Ｂ）。
【００２６】
一方、支柱１の上端には横向き雌ネジの支柱雌ネジ１２が複数形成されている。本実施形態の場合、支柱１の上端に円柱状の上端接続体１１が取り付けられ、その上端接続体１１に、平面方向視が４５°の等間隔で支柱雌ネジ１２が４ケ所形成されている（図１、図７Ｂ等参照）。
【００２７】
次に、ベース体２について説明する。
【００２８】
図２Ｃ及び図３に示したベース体２は、中央に配置される中央板状体２１と、同中央板状体２１の左右の下面にそれぞれ連結された左方板状体２２及び右方板状体２３とで構成されている。
【００２９】
中央板状体２１は、鉄製で薄い厚さ＝３ｍｍ、幅＝２０ｍｍ、全長＝１３ｃｍの細長いコンパクトサイズに形成されている。この中央板状体２１の中央部に、φ＝３ｍｍの雌ネジが、ベース体雌ネジ２０として上下に貫通して形成され、そのベース体雌ネジ２０に前記支柱１の支柱雄ネジ１０が螺合自在となっている（図７Ｂ参照）。
【００３０】
前記中央板状体２１の左方下面２４の端部に、左方板状体２２の端部がピンｐにより回動自在に接続され、同様に、中央板状体２１の右方下面２７の端部に、右方板状体２３の端部がピンｐにより回動自在に接続されている。左方板状体２２及び右方板状体２３の全長は、中央板状体２１よりも短く、各々７．４ｃｍに形成されている（図３、図４）。
【００３１】
したがって、本卓上ＰＯＰスタンドの組立て時には、左方板状体２２及び右方板状体２３を、図３の中央板状体２１に重合する収納時から、それぞれ逆方向に４５°ずつ回動する。これにより、ベース体２は図４Ａに示したように、平面方向視形状がＳ形（又はＮ形）の安定した形状になる。一方、収納時には、左方板状体２２及び右方板状体２３を、前記と逆方向に４５°回動し、中央板状体２１の左右の下面２４、２７に重合して小さく収納される（図２Ｃ及び図３）。
【００３２】
図５と図６に示した異なるベース体２´について説明する。
【００３３】
このベース体２´は、細長い左方板状体２２が、更に細長く小さな左方第１板状体２２ａ及び左方第２板状体２２ｂとして、右方板状体２３も、更に細長く小さな右方第１板状体２３ａ及び右方第２板状体２３ｂとして、それぞれ２本ずつ独立した構成とされている。
【００３４】
本実施形態のベース体２´の場合、中央板状体２１は、たて×よこ×厚さが、２５ｍｍ×１５０ｍｍ×３ｍｍであり、左方第１板状体２２ａ、左方第２板状体２２ｂ、右方第１板状体２３ａ、右方第２板状体２３ｂは、各々たて×よこ×厚さが、１２ｍｍ×７４ｍｍ×３ｍｍに形成されている。
【００３５】
すなわち、図５Ｃと図６Ｃに示したように、中央板状体２１の左方下面２４の一端部２５に、左方第１板状体２２ａの端部がピンｐにより回動自在に接続され、左方下面２４の他端部２６に、左方第２板状体２２ｂの端部がピンｐにより回動自在に接続されている。同様に、中央板状体２１の右方下面２７の一端部２８に、右方第１板状体２３ａの端部がピンｐにより回動自在に接続され、右方下面２７の他端部２９に、右方第２板状体２３ｂの端部がピンｐにより回動自在に接続されている。
【００３６】
かくして、前記左方第１板状体２２ａと左方第２板状体２２ｂを４５°外方へ開き、右方第１板状体２３ａと右方第２板状体２３ｂを同様に４５°外方へ開くことで、図６Ａ、Ｃに示したようなベース体２は、平面方向視形状がＨ形の安定した形状になる。
【００３７】
収納時は、前記左方の第１、第２板状体２２ａ、２２ｂ及び右方の第１、第２板状体２３ａ、２３ｂを、前記と逆に４５°内方へ回動すれば、中央板状体２１の左右の下面２４、２７に隠れるように重合され、たて×よこが、２５ｍｍ×１５０ｍｍのコンパクトサイズに収納できる（図５Ｃ、Ｂ）。
【００３８】
なお、上記ベース体２、２´の左方板状体２２及び右方板状体２３の下面に、辷り止め用に、図示を省略したストッパーを取り付ける形態も好適に実施される。
【００３９】
吊下げ棒３について説明する。
【００４０】
この吊下げ棒３は、その基端が雄ネジの吊下げ棒雄ネジ３０に形成され、その吊下げ棒雄ネジ３０が前記支柱雌ネジ１２に螺合自在に構成されている（図２Ａ、図７Ｂ）。本実施形態の吊下げ棒３は、組立て時に、図７に示したような、支柱１の左右に、又は図１、図１１に示したような支柱１の前後に取り付けられる。つまり、通常２本１組の吊下げ棒３（図２Ａ参照）が、最大２組、つまり４本の吊下げ棒３・・・を同時に使用することができる。吊下げ棒３は、鉄製又はステンレス製の丸棒によりそれぞれ、最大φ＝５ｍｍで長さ５５ｍｍの基部３ａと、それにつづくφ＝３ｍｍで長さ９５ｍｍの掲示部３ｂから成る全長１５ｃｍ位のコンパクトサイズに形成されている。基部３ａが掲示部３ｂより若干太いのは、支持する強度を高めるためである。
【００４１】
また、この吊下げ棒３の基部３ａの基端が、φ＝３ｍｍの雄ネジで成る吊下げ棒雄ネジ３０に形成され、その吊下げ棒雄ネジ３０が、上述した支柱１の支柱雌ネジ１２に螺合自在となっている（図１、図７参照）。吊下げ棒３の掲示部３ｂには、ＰＯＰ等の掲示物を着脱自在な上部クリップ３１が設置されているから、掲示物の上端が前記吊下げ棒３の上部クリップ３１に挟まれてＰＯＰや小型ポスターが掲示自在である。
【００４２】
したがって、テレスコピック機構により支柱１が伸長され、吊下げ棒３にＰＯＰ類が掲示自在となっている。しかも、図７に示した２本の吊下げ棒３・・・の吊下げ棒雄ネジ３０・・・が支柱１の支柱雌ネジ１２・・・に螺合されるに留まらず、図１１に示した３本の吊下げ棒３・・・の吊下げ棒雄ネジ３０・・・が、３つの支柱雌ネジ１２・・・に螺合される。更に、図１に示したように、４本の吊下げ棒３・・・の吊下げ棒雄ネジ３０・・・が、４つの支柱雌ネジ１２・・・に螺合可能であり、その場合、各吊下げ棒３に掲示されたＰＯＰ等の掲示物は全方位から見られ、多次元的な掲示が実現される。
【００４３】
収納するに際し、上記の逆の手順を行えばよく、支柱１、ベース体２、吊下げ棒３の３部材を簡単に分解して小さくでき、それらをペンケースや小物入れ等にコンパクト収納して携行できる。
【図面の簡単な説明】
【００４４】
【図１】４方向に掲示可能に組み立てた状態のコンパクト収納式卓上ＰＯＰスタンドを示した平面図である。
【００４５】
【図２】Ａは左右又は前後２本で実施する場合の吊下げ棒における左側の吊下げ棒と右側の吊下げ棒を示した正面図、Ｂは支柱の正面図、Ｃはベース体の裏面図である。
【００４６】
【図３】Ａ、Ｂは収納状態のベース体を示した平面図と正面図である。
【００４７】
【図４】Ａ、Ｂ、Ｃは使用状態のベース体の平面図、正面図、裏面図である。
【００４８】
【図５】Ａ、Ｂ、Ｃは異なるベース体の収納状態を示した平面図、正面図、裏面図である。
【００４９】
【図６】Ａ、Ｂ、Ｃは図５の異なるベース体の使用状態を示した平面図、正面図、裏面図である。
【００５０】
【図７】Ａ、Ｂは、２本の吊下げ棒の組み立て段階を示した卓上ＰＯＰスタンドの平面図と正面図である。
【００５１】
【図８】図７の側面図である。
【００５２】
【図９】図８の状態から伸長した状態の卓上ＰＯＰスタンドを示した側面図である。
【００５３】
【図１０】図９の伸長状態の卓上ＰＯＰスタンドを示した正面図である。
【００５４】
【図１１】３本の吊下げ棒の組み立て状態を示した卓上ＰＯＰスタンドの平面図である。
【００５５】
【図１２】従来例を示した斜視図である。
【符号の説明】
【００５６】
１        支柱
１０      支柱雄ネジ
１１      上端接続体
１２      支柱雌ネジ
２        ベース体
２０      ベース体雌ネジ
２１      中央板状体
２２      左方板状体
２３      右方板状体
２´      ベース体
２２ａ    左方第１板状体
２２ｂ    左方第２板状体
２３ａ    右方第１板状体
２３ｂ    右方第２板状体
２４      左方下面
２５      一端部
２６      他端部
２７      右方下面
２８      一端部
２９      他端部
３        吊下げ棒
３０      吊下げ棒雄ネジ
３１      上部クリップ
【図１】
0003200625.tif 000003
【図２】
0003200625.tif 000004
【図３】
0003200625.tif 000005
【図４】
0003200625.tif 000006
【図５】
0003200625.tif 000007
【図６】
0003200625.tif 000008
【図７】
0003200625.tif 000009
【図８】
0003200625.tif 000010
【図９】
0003200625.tif 000011
【図１０】
0003200625.tif 000012
【図１１】
0003200625.tif 000013
【図１２】
0003200625.tif 000014